【事件の表示】
　特願２０１２−６９９９９号「遊技機」拒絶査定不服審判事件〔平成２４年６月２８日出願公開、特開２０１２−１２０８９１号〕について、次のとおり審決する。
【結　論】
　本件審判の請求は、成り立たない。
【理　由】
第１　手続の経緯
　本願は、平成１６年１２月２８日に出願した特願２００４−３８１５５９号の一部を、平成２２年５月１０日に新たな特許出願（特願２０１０−１０８２８６号）とし、その一部を、さらに平成２４年３月２６日に新たな特許出願としたものであって、平成２５年６月２０日付けで拒絶の理由が通知され、同年８月２３日付けで意見書及び手続補正書が提出されたところ、平成２６年３月１８日付けで拒絶査定がなされ（発送日：同年３月２５日）、これに対して、同年６月２０日付けで拒絶査定不服審判の請求がなされるとともに手続補正書が提出されたものである。
　
第２　平成２６年６月２０日付けの手続補正についての補正却下の決定
［補正却下の決定の結論］
　平成２６年６月２０日付けの手続補正（以下、「本件補正」という。）を却下する。
［理由］
１　補正の内容
　本件補正は、特許請求の範囲の請求項１の記載の補正を含む補正であり、特許請求の範囲の請求項１は、
補正前（平成２５年８月２３日付け手続補正）の
「【請求項１】
　特別図柄を表示する表示装置と、
　開閉部材を開放させて遊技球を入賞可能にする可変入賞球装置と、
　該可変入賞球装置の前記開閉部材が開放する回数に応じた遊技情報を報知する報知手段と、
　前記可変入賞球装置の前記開閉部材を開放させるか否かの抽選を実行するとともに、前記抽選の結果に基づいて前記表示装置、前記報知手段及び前記可変入賞球装置を制御する主制御手段と、
　少なくとも演出制御対象を制御する副制御手段と、を具備し、
　前記主制御手段が、前記演出制御対象を制御するためのコマンドを前記副制御手段に送信可能な遊技機において、
　前記主制御手段は、前記表示装置によって前記特別図柄を表示する際には、前記演出制御対象によって演出報知を行うためのコマンドを前記副制御手段に送信し、その後、前記抽選の結果によって前記可変入賞球装置の前記開閉部材を開放させる場合であれば、前記開閉部材を開放するように前記可変入賞球装置を制御し、かつ前記遊技情報の報知を行うように前記報知手段を制御し、
　前記報知手段は、前記主制御手段の制御によって、前記遊技情報として前記開閉部材が開放可能となるラウンド回数の最大数を示す報知を行い、
　前記副制御手段は、前記主制御手段からの前記コマンドに従って前記演出制御対象を制御するとともに、前記ラウンド回数の最大数に達するまで前記遊技情報に対応する遊技情報画像として現在の前記ラウンド回数を示す画像を、前記報知手段よりも大きい画像表示装置によって表示しうることを特徴とする遊技機。」
から、
補正後（平成２６年６月２０日付け手続補正）の
「【請求項１】
特別図柄を表示する表示装置と、
　開閉部材を開放させて遊技球を入賞可能にする可変入賞球装置と、
　該可変入賞球装置の前記開閉部材が開放する回数に応じた遊技情報を報知する報知手段と、
　前記可変入賞球装置の前記開閉部材を開放させるか否かの抽選を実行するとともに、前記抽選の結果に基づいて前記表示装置、前記報知手段及び前記可変入賞球装置を制御する主制御手段と、
　少なくとも演出制御対象を制御する副制御手段と、を具備し、
　前記主制御手段が、前記演出制御対象を制御するためのコマンドを前記副制御手段に送信可能な遊技機において、
　前記主制御手段は、前記表示装置によって前記特別図柄を表示する際には、前記演出制御対象によって演出報知を行うためのコマンドを前記副制御手段に送信し、その後、前記抽選の結果によって前記可変入賞球装置の前記開閉部材を開放させる場合であれば、前記開閉部材を開放するように前記可変入賞球装置を制御し、かつ前記遊技情報の報知を行うように前記報知手段を制御し、
　前記報知手段は、
ＬＥＤを有して構成され、
前記ＬＥＤの発光によって前記開閉部材の開放が全て終了するまで継続して
　前記副制御手段は、前記主制御手段からの前記コマンドに従って前記演出制御対象を制御するとともに、前記ラウンド回数の最大数に達するまで前記遊技情報に対応する遊技情報画像として現在の前記ラウンド回数を示す画像を、前記報知手段よりも大きい画像表示装置によって表示
することで、
　
前記報知手段による前記ラウンド回数の最大数を示す報知と、前記副制御手段による現在の前記ラウンド回数を示す画像の表示と、を並行して行い
へ補正された（下線部は補正箇所を示す。）。
２　補正の目的等
　本件補正は、特許請求の範囲の請求項１について、以下に挙げる補正事項ア及びイを含むものである。
（１）補正事項ア
　補正事項アは、補正前の「前記報知手段は、前記主制御手段の制御によって、前記遊技情報として前記開閉部材が開放可能となるラウンド回数の最大数を示す報知を行い、」という記載を、補正後の「前記報知手段は、ＬＥＤを有して構成され、前記主制御手段の制御によって、前記遊技情報として前記開閉部材が開放可能となるラウンド回数の最大数を示す報知を前記ＬＥＤの発光によって前記開閉部材の開放が全て終了するまで継続して行い、」とする補正である。
　補正事項アは、補正前の「報知手段」に関して、補正手段が、「ＬＥＤを有して構成され」るように限定し、報知手段による「ラウンド回数の最大数を示す報知を前記ＬＥＤの発光によって前記開閉部材の開放が全て終了するまで継続して行」うように限定する補正であるから、平成１８年法律第５５号改正附則第３条第１項によりなお従前の例によるとされる同法による改正前の特許法第１７条の２第４項第２号の特許請求の範囲の減縮を目的とするものに該当する。
（２）補正事項イ
　補正事項イは、補正前の「前記副制御手段は、前記主制御手段からの前記コマンドに従って前記演出制御対象を制御するとともに、前記ラウンド回数の最大数に達するまで前記遊技情報に対応する遊技情報画像として現在の前記ラウンド回数を示す画像を、前記報知手段よりも大きい画像表示装置によって表示しうる」という記載を、補正後の「前記副制御手段は、前記主制御手段からの前記コマンドに従って前記演出制御対象を制御するとともに、前記ラウンド回数の最大数に達するまで前記遊技情報に対応する遊技情報画像として現在の前記ラウンド回数を示す画像を、前記報知手段よりも大きい画像表示装置によって表示することで、
　前記報知手段による前記ラウンド回数の最大数を示す報知と、前記副制御手段による現在の前記ラウンド回数を示す画像の表示と、を並行して行いうる」とする補正である。
　補正事項イは、補正前の「副制御手段」に関して、副制御手段が、「現在の前記ラウンド回数を示す画像を、前記報知手段よりも大きい画像表示装置によって表示しうる」という事項を、「現在の前記ラウンド回数を示す画像を、前記報知手段よりも大きい画像表示装置によって表示」することで、「前記報知手段による前記ラウンド回数の最大数を示す報知と、前記副制御手段による現在の前記ラウンド回数を示す画像の表示と、を並行して行いうる」とする補正であるから、補正前の副制御手段を限定するものであるとともに、補正前の「ラウンド回数の最大数を示す報知」と「現在の前記ラウンド回数を示す画像の表示」とを、「並行して行いうる」と限定するものであるから、平成１８年法律第５５号改正附則第３条第１項によりなお従前の例によるとされる同法による改正前の特許法第１７条の２第４項第２号の特許請求の範囲の減縮を目的とするものに該当する。
　そして、補正事項ア及びイは、新規事項を追加するものではない。
３　独立特許要件
　そこで、本件補正後の前記請求項１に記載された発明（以下、「本願補正発明」という。）が特許出願の際独立して特許を受けることができるものであるか（平成１８年法律第５５号改正附則第３条第１項によりなお従前の例によるとされる同法による改正前特許法第１７条の２第５項において準用する同法第１２６条第５項の規定に適合するか）について以下に検討する。
（１）刊行物１に記載された発明
　原査定の拒絶の理由に引用された原出願前に頒布された特開２００１−２４６０７０号公報（以下、「刊行物１」という。）には、図面とともに次の事項が記載されている（下線は当審で付した。）。
（ア）
「【請求項１】  遊技価値を付与するか否かを決定する
遊技価値判定用乱数を生成し、
始動条件の成立に基づいて前記遊技価値判定用乱数値を抽出記憶し、判定時に
その遊技価値判定用乱数値と予め設定された判定値とを比較判定し、この比較判定結果に基づいて可変表示装置の
変動表示ゲームを行ない、遊技者に遊技価値を付与可能
付与される遊技価値は、遊技価値の量が変動可能であり、
前記遊技価値の付与状態が終了する前に、
付与される遊技価値量に係わる情報を報知する
前記遊技価値の付与状態が終了する場合に、変動した遊技価値量の付与に関連して成立する特殊遊技状態が発生するか否かの情報の報知を行う情報報知手段を備えていることを特徴とする
遊技機。
（イ）
「【０００７】
【発明の実施の形態】以下、本発明の実施の形態を、パチンコ遊技機への適用例として図面を参照して説明する。
Ａ．遊技機の正面構成
図１はパチンコ遊技機の遊技盤１を示す正面図であり、遊技盤１の前面の略円形領域にはガイドレール２で取り囲まれた遊技領域３が形成されている。遊技領域３には、例えば、複数の図柄や数字等からなる識別情報（以下、
特図
を変動表示する可変表示装置４ａを有する特別図柄表示装置４が備えられ
開閉扉５ａにより開閉される大入賞口５ｂを有する特別変動入賞装置５
が備えられ
（ウ）
「【００１３】発射ユニット１０４は遊技機１００の前面下部に設けられた発射操作ノブ（不図示）の操作に応じて、球を発射するための機構である。発射制御装置１０５は球の発射に必要な各種電気部品（例えば、発射ユニット１０４の電気的駆動源）の制御を行うもので、中身が透けて見えるケースにこの制御機能を実現するための制御基板が実装されている。装飾制御装置１０６は遊技機１００の前面等に配設された装飾用ランプ類の作動（点灯または消灯もしくは点滅）を制御するもので、中身が透けて見えるケース内にこの制御機能を実現するための制御基板が実装されている。
表示制御装置１０７は遊技制御装置１０１から出力される指令
に従ってセンター役物を制御し、
可変表示装置４ａ
に所定の画像を表示させ
（エ）
「【００２４】
出力インターフェース１６３から
特別変動入賞装置５
を駆動するための駆動信号が出力
確変判定図柄表示器兼ラウンド数表示器２２に対して表示信号が出力
（オ）
「【００３１】
大当りになると、特別変動入賞装置５の
開放動作は、
繰り返し行われ
（カ）
「【００３３】Ｄ．制御系の動作
次に、前述した制御系により行われる本例の遊技機１００の制御について説明する。
（ａ）遊技制御プログラム
図６は、
遊技制御装置１０１の
で実行される遊技プログラムの
制御処理は、
特別変動入賞装置５の駆動
が行われ
…
【００３５】＜ステップＳ８：表示制御装置通信処理＞ステップＳ８の表示制御装置通信処理では、後述する表示制御装置送信情報編集処理Ｓ２０で行われる送信情報の設定に基づいて、実際に
表示制御装置１０７に対して
コマンドデータが送信され
可変表示装置４ａにて
変動表示ゲームが行われ
…
【００４１】そして、本遊技プログラムでは、以上の時分割処理がなされた後に、残余時間処理（Ｓ２２）を行い、上記基準時間（例えば、２ｍｓ）になるまで待機して、残余時間がゼロになったときに１シーケンスを終了し、
再び、
シーケンスを開始
（キ）
「【００５６】…上記四つのモードの選択結果の情報は、既述のとおり、遊技盤１に設けられた確変判定図柄表示器兼ラウンド数表示器２２で報知されるようになっており、特に、同情報のうちの
ラウンド数
（ク）
「【００５７】…一方、
大当たり時のラウンド数が１０回
になるか１６回
になるかは遊技価値量決定用乱数値によって判定され、
【００５８】本実施の形態では、遊技盤１のセンターケース１６に設けられた表示器（
確変判定図柄表示器兼ラウンド数表示器２２
によって、
ラウンド数の報知を行なうが、その報知タイミングは
遊技価値の付与状態が終了する前である
…
【００６０】また、
遊技価値の付与状態が終了する前とは、
１ラウンドの開動作スタートから最終ラウンドの開動作終了までの任意時点である
（ケ）
　刊行物１の［図２］によれば、可変表示装置４ａは、確変判定図柄表示器兼ラウンド数表示器２２よりも大きいことは明らかである。
（コ）
　上記（エ）を参考に、刊行物１の［図４］をみると、遊技制御装置１０１の出力インターフェース（出力Ｉ／Ｆ）１６３から、特別変動入賞装置５と、確変判定図柄表示器兼ラウンド数表示器２２に信号が出力されることがわかる。
　したがって、上記記載事項及び図示内容を総合すると、刊行物１には、次の発明（以下、「引用発明」という。）が記載されている。
「特図を変動表示する可変表示装置４ａを有する特別図柄表示装置４と、
開閉扉５ａにより開閉される大入賞口５ｂを有する特別変動入賞装置５と、
ラウンド数の報知を行なう確変判定図柄表示器兼ラウンド数表示器２２と、
遊技価値判定用乱数を生成し、その遊技価値判定用乱数値と予め設定された判定値とを比較判定し、この比較判定結果に基づいて、可変表示装置４ａの変動表示ゲームを行ない、出力インターフェース１６３から、確変判定図柄表示器兼ラウンド数表示器２２に対して、ラウンド数を示す表示信号を出力し、出力インターフェース１６３から、特別変動入賞装置５を駆動するための駆動信号を出力する遊技制御装置１０１と、
遊技制御装置１０１から出力される指令に従ってセンター役物を制御し、可変表示装置４ａに所定の画像を表示させる表示制御装置１０７と、を備え、
遊技制御装置１０１で実行される遊技プログラムの制御処理では、表示制御装置１０７に対してコマンドデータを送信し、可変表示装置４ａにて変動表示ゲームを行ない、再び、シーケンスを開始し、大当たり時のラウンド数が１０回になるか１６回になるかは遊技価値量決定用乱数値によって判定され、大当たりになると、特別変動入賞装置５の開放動作を繰り返し行ない、ラウンド数の報知を行うように確変判定図柄表示器兼ラウンド数表示器２２を制御し、
確変判定図柄表示器兼ラウンド数表示器２２によるラウンド数の報知タイミングは、遊技価値の付与状態が終了する前であり、遊技価値の付与状態が終了する前とは、１ラウンドの開動作スタートから最終ラウンドの開動作終了までの任意時点であり、
可変表示装置４ａは、確変判定図柄表示器兼ラウンド数表示器２２よりも大きい、
遊技機。」
（２）対比
　本願補正発明と、引用発明とを対比する。
（ア）引用発明の「特図を変動表示する可変表示装置４ａ」は、本願補正発明における「特別図柄を表示する表示装置」に相当する。
（イ）引用発明の「開閉扉５ａにより開閉される大入賞口５ｂを有する特別変動入賞装置５」は、本願補正発明における「開閉部材を開放させて遊技球を入賞可能にする可変入賞球装置」に相当する。
（ウ）引用発明の「ラウンド数」は、「大当たり時のラウンド数が１０回になるか１６回になるかは遊技価値量決定用乱数値によって判定され、大当たりになると、特別変動入賞装置５の開放動作を繰り返し行な」うのであるから、本願補正発明における「可変入賞球装置の前記開閉部材が開放する回数」に相当する。
　そうすると、引用発明における「ラウンド数の報知を行なう確変判定図柄表示器兼ラウンド数表示器２２」は、本願補正発明における「可変入賞球装置の前記開閉部材が開放する回数に応じた遊技情報を報知する報知手段」に相当する。
（エ）引用発明における「遊技価値判定用乱数を生成し、その遊技価値判定用乱数値と予め設定された判定値とを比較判定」することは、本願補正発明における「可変入賞球装置の前記開閉部材を開放させるか否かの抽選を実行する」ことに相当する。
　引用発明における「比較判定結果に基づいて可変表示装置４ａの変動表示ゲームを行な」うことは、本願補正発明における「抽選の結果に基づいて前記表示装置」「を制御する」ことに相当する。
　以下同様に、引用発明における「比較判定結果に基づいて」「出力インターフェース１６３から、確変判定図柄表示器兼ラウンド数表示器２２に対して、ラウンド数を示す表示信号を出力」すること、「比較判定結果に基づいて」「出力インターフェース１６３から、特別変動入賞装置５を駆動するための駆動信号を出力する」ことは、それぞれ、本願補正発明における「抽選の結果に基づいて」「前記報知手段」「を制御する」こと、「抽選の結果に基づいて」「前記可変入賞球装置を制御する」こと、に相当する。
　したがって、引用発明における「遊技価値判定用乱数を生成し、その遊技価値判定用乱数値と予め設定された判定値とを比較判定し、この比較判定結果に基づいて、可変表示装置４ａの変動表示ゲームを行ない、出力インターフェース１６３から、確変判定図柄表示器兼ラウンド数表示器２２に対して、ラウンド数を示す表示信号を出力し、出力インターフェース１６３から、特別変動入賞装置５を駆動するための駆動信号を出力する遊技制御装置１０１」は、本願補正発明における「前記可変入賞球装置の前記開閉部材を開放させるか否かの抽選を実行するとともに、前記抽選の結果に基づいて前記表示装置、前記報知手段及び前記可変入賞球装置を制御する主制御手段」に相当する。
（オ）引用発明における「センター役物」と「可変表示装置４ａ」は、本願補正発明における「演出制御対象」に相当する。
　よって、引用発明における「遊技制御装置１０１から出力される指令に従ってセンター役物を制御し、可変表示装置４ａに所定の画像を表示させる表示制御装置１０７」は、本願補正発明における「少なくとも演出制御対象を制御する副制御手段」に相当する。
（カ）引用発明において、「遊技制御装置１０１で実行される遊技プログラムの制御処理では、表示制御装置１０７に対してコマンドデータを送信」することは、本願補正発明における、「主制御手段が、前記演出制御対象を制御するためのコマンドを前記副制御手段に送信可能」であることに相当する。
（キ）引用発明において、「遊技制御装置１０１で実行される遊技プログラムの制御処理では、表示制御装置１０７に対してコマンドデータを送信し、可変表示装置４ａにて変動表示ゲームを行な」うことは、本願補正発明における「主制御手段は、前記表示装置によって前記特別図柄を表示する際には、前記演出制御対象によって演出報知を行うためのコマンドを前記副制御手段に送信」することに相当する。
　以下同様に、引用発明において、「遊技制御装置１０１で実行される遊技プログラムの制御処理では」「大当たりになると、特別変動入賞装置５の開放動作を繰り返し行な」うこと、「遊技制御装置１０１で実行される遊技プログラムの制御処理では」「大当たりになると」「ラウンド数の報知を行うように確変判定図柄表示器兼ラウンド数表示器２２を制御」することは、それぞれ、本願補正発明における「主制御手段は」「抽選の結果によって前記可変入賞球装置の前記開閉部材を開放させる場合であれば、前記開閉部材を開放するように前記可変入賞球装置を制御」すること、「主制御手段は」「抽選の結果によって前記可変入賞球装置の前記開閉部材を開放させる場合であれば」「遊技情報の報知を行うように前記報知手段を制御」すること、に相当する。
　したがって、引用発明における「遊技制御装置１０１から出力される指令に従ってセンター役物を制御し、可変表示装置４ａに所定の画像を表示させる表示制御装置１０７と、を備え、遊技制御装置１０１で実行される遊技プログラムの制御処理では、表示制御装置１０７に対してコマンドデータを送信し、可変表示装置４ａにて変動表示ゲームを行ない、再び、シーケンスを開始し、大当たり時のラウンド数が１０回になるか１６回になるかは遊技価値量決定用乱数値によって判定され、大当たりになると、特別変動入賞装置５の開放動作を繰り返し行ない、ラウンド数の報知を行うように確変判定図柄表示器兼ラウンド数表示器２２を制御」することは、本願補正発明における「前記主制御手段は、前記表示装置によって前記特別図柄を表示する際には、前記演出制御対象によって演出報知を行うためのコマンドを前記副制御手段に送信し、その後、前記抽選の結果によって前記可変入賞球装置の前記開閉部材を開放させる場合であれば、前記開閉部材を開放するように前記可変入賞球装置を制御し、かつ前記遊技情報の報知を行うように前記報知手段を制御」することに相当する。
（ク）引用発明では、「大当たり時のラウンド数が１０回になるか１６回になるかは遊技価値量決定用乱数値によって判定され」るのであるから、該「ラウンド数が１０回になるか１６回になる」ことは、本願発明における「ラウンド回数の最大数」に相当する。
　そして、引用発明において、「遊技制御装置１０１で実行される遊技プログラムの制御処理では」「ラウンド数の報知を行うように確変判定図柄表示器兼ラウンド数表示器２２を制御」することは、本願補正発明における「前記主制御手段の制御によって、前記遊技情報として前記開閉部材が開放可能となるラウンド回数の最大数を示す報知を行」うことに相当する。
（ケ）引用発明において、「変動表示ゲーム」は、本願補正発明における「遊技情報に対応する遊技情報画像」に相当する。
　また、前記（オ）から、「可変表示装置４ａ」は、本願補正発明における「演出制御対象」に相当し、前記第２の３（１）（ケ）から、「可変表示装置４ａは、確変判定図柄表示器兼ラウンド数表示器２２よりも大き」い。
　したがって、「遊技制御装置１０１で実行される遊技プログラムの制御処理では、表示制御装置１０７に対してコマンドデータを送信し、可変表示装置４ａにて変動表示ゲームを行な」うことは、本願補正発明における「副制御手段は、前記主制御手段からの前記コマンドに従って前記演出制御対象を制御するとともに」「前記遊技情報に対応する遊技情報画像」「を、前記報知手段よりも大きい画像表示装置によって表示すること」に相当する。
　そうすると、本願補正発明と引用発明とは、次の点で一致する。
「特別図柄を表示する表示装置と、
　開閉部材を開放させて遊技球を入賞可能にする可変入賞球装置と、
　該可変入賞球装置の前記開閉部材が開放する回数に応じた遊技情報を報知する報知手段と、
　前記可変入賞球装置の前記開閉部材を開放させるか否かの抽選を実行するとともに、前記抽選の結果に基づいて前記表示装置、前記報知手段及び前記可変入賞球装置を制御する主制御手段と、
　少なくとも演出制御対象を制御する副制御手段と、を具備し、
　前記主制御手段が、前記演出制御対象を制御するためのコマンドを前記副制御手段に送信可能な遊技機において、
　前記主制御手段は、前記表示装置によって前記特別図柄を表示する際には、前記演出制御対象によって演出報知を行うためのコマンドを送信し、その後、前記抽選の結果によって前記可変入賞球装置の前記開閉部材を開放させる場合であれば、前記開閉部材を開放するように前記可変入賞球装置を制御し、かつ前記遊技情報の報知を行うように前記報知手段を制御し、
　前記報知手段は、前記主制御手段の制御によって、前記遊技情報として前記開閉部材が開放可能となるラウンド回数の最大数を示す報知を行い、
　前記副制御手段は、前記主制御手段からの前記コマンドに従って前記演出制御対象を制御するとともに、前記遊技情報に対応する遊技情報画像を、前記報知手段よりも大きい画像表示装置によって表示することで、
　前記報知手段による前記ラウンド回数の最大数を示す報知を行いうる遊技機。」
　そして、両者は次の点で相違する。
［相違点１］
　本願補正発明では、「報知手段は、ＬＥＤを有して構成され」ており、「ＬＥＤの発光によって」報知を行うのに対して、引用発明では、報知手段（確変判定図柄表示器兼ラウンド数表示器２２）について、そのような特定がなされていない点。
［相違点２］
　本願補正発明では、「ラウンド回数の最大数を示す報知を」「開閉部材の開放が全て終了するまで継続して行」うのに対して、引用発明では、「報知タイミングは、遊技価値の付与状態が終了する前であり、遊技価値の付与状態が終了する前とは、１ラウンドの開動作スタートから最終ラウンドの開動作終了までの任意時点である」点。
［相違点３］
　本願補正発明では、「ラウンド回数の最大数に達するまで前記遊技情報に対応する遊技情報画像として現在の前記ラウンド回数を示す画像を、」「画像表示装置によって表示する」のに対して、引用発明では、遊技情報画像について、上記のような特定がなされていない点。
［相違点４］
　本願補正発明では、「報知手段による前記ラウンド回数の最大数を示す報知と、前記副制御手段による現在の前記ラウンド回数を示す画像の表示と、を並行して行いうる」のに対して、引用発明では、「報知手段（確変判定図柄表示器兼ラウンド数表示器２２）によるラウンド数の報知」が行われるに留まる点。
（３）判断
（ア）［相違点１］について検討する。
　刊行物１の段落［０００８］には、「普通図柄表示器７は、例えば、一桁の数字を表示する７セグメントの表示部を有し液晶またはＬＥＤ等よりなる表示器であり」と記載され、段落［０００９］には、「遊技盤１には、その他の各種装飾ランプやＬＥＤ等が設けられていてもよい。」と記載されるとともに、「確変判定図柄表示器兼ラウンド数表示器２２は、…確変判定図柄（すなわち、特殊遊技状態か否かの図柄）を表示（報知）するとともに、大当たりのラウンド数も表示（報知）するものである。…上記報知の区別は、例えば、7セグメントの数字表示で行ってもよい」と記載されているように、遊技機の技術分野では、何らかの情報を報知するための手段として、ＬＥＤが使用されている。
　そして、遊技機の技術分野において、何らかの情報を報知するための手段としてのＬＥＤは、特開２０００−６１１１８号公報（段落［００１７］、［００２７］、［００３４］、［図３］には、ラウンド数の上限値をＬＥＤによって表示することが記載されている。）に記載されているように、周知技術（以下、「周知技術１」という。）である。
　引用発明において、報知手段に周知技術１を適用し、前記相違点１に係る本願補正発明の構成とすることは、当業者が容易になし得ることである。。
（イ）［相違点２］について検討する。
　ラウンド回数の最大数を示す報知を開閉部材の開放が全て終了するまで継続して行うことは、例えば、特開２００１−１４９５５３号公報（段落［０００７］−［００１２］、［図３］、［図４］には、可変入賞装置継続開放回数抽選手段が作動すると、継続開放回数（ラウンド数）抽選表示装置１０によって、ステップ（ハ）またはステップ（ニ）においてラウンド数が表示され、可変入賞装置の開回数が表示ラウンド数に達しているか判別されるステップ（ワ）まで表示されることが記載されている。）、特開２００３−４７７１８号公報（段落［０００８］−［００１２］、段落［００８４］−［００９６］、［図４］には、表示灯１６６Ａによって、ステップ３１０においてラウンドの最大継続回数を表示し、ラウンドの最大継続回数が、ラウンド数再抽選結果が表示されるステップ３３４まで表示されることが記載されており、ラウンド数再抽選を行わない従来技術も記載されている。）、特開平８−１５５１０２号公報（段落［００１５］−［００１９］、［図４］には、ラウンド数決定表示部Ｌによって、特別遊技状態が生起したＳ２９またはＳ３０において表示されたラウンド回数が、特別遊技状態終了後のＳ３５まで表示されることが記載されている。）に記載されているように、遊技機、特にパチンコ機において、周知技術（以下、「周知技術２」という。）である。
　引用発明では、ラウンド回数の最大数を報知するタイミングは、「１ラウンドの開動作スタートから最終ラウンドの開動作終了までの任意時点である」から、該「任意時点」として、周知技術２を適用することで、開閉部材の開放が全て終了する時点を採用し、ラウンド回数の最大数の報知を開閉部材の開放が全て終了する時点まで継続して行うようになし、前記相違点２に係る本願補正発明の構成とすることは、当業者が容易になし得ることである。
（ウ）［相違点３］について検討する。
　ラウンド回数の最大数に達するまで現在のラウンド回数を示す画像を画像表示装置によって表示することは、例えば、原査定の拒絶の理由に引用された特開２００１−２３９０４９号公報（段落［００２５］−［００２７］、［図３］（Ｂ）、［図４］（Ａ）、［図４］（Ｂ）には、特別図柄表示装置３２によって現在のラウンド数を画像表示することが記載されている。）、特開２００３−１９３０３号公報（段落［００５９］、［００６０］、［図１６］、［図１７］には、特別図柄制御装置３２によって現在のラウンド数を表示することが記載されている。）に記載されているように、遊技機、特にパチンコ機において、周知技術（以下、「周知技術３」という。）である。
　引用発明において、可変表示装置４ａに周知技術３を適用し、可変表示装置４ａによって、ラウンド回数の最大数に達するまで現在のラウンド回数を示す画像を表示するようにし、前記相違点３に係る本願補正発明の構成とすることは、当業者が容易になし得ることである。
（オ）［相違点４］について検討する。
　引用発明において、報知手段に周知技術２を適用し、可変表示装置４ａに周知技術３を適用することは、前述のように当業者が容易になし得るところである。
　そして、遊技者への情報提供として、ラウンド回数の最大数を示す報知と、現在のラウンド回数を示す画像の表示とを並行して行うことにより奏される効果、すなわち「遊技者は現在のラウンド回数を確認しつつ、ラウンド回数の最大数を同時に認識できて、利便性に富む。」（審判請求書４（ｄ）を参照。）という効果は、例えば、特開平１０−３２８３７１号公報（段落［００３２］−［００３４］、［図９］（ｂ）には、今回ラウンド数表示部によってラウンド数の上限を、現在ラウンド数表示部２８によって現在何ラウンド目かを示すことが記載されている。）、特開２００２−３６０７９１号公報（段落［００６１］、［図４］（ｅ）には、最大継続ラウンド数の報知と、現在何ラウンド目が進行しているかについての表示が記載されている。）に記載されているように、遊技機、特にパチンコ機において、周知の効果（以下、「周知技術４」という。）にすぎない。
　したがって、引用発明に周知技術２、３を適用し、「報知手段によるラウンド回数の最大数を示す報知と、現在のラウンド回数を示す画像の表示とを並行して行いうる」ようにすること、すなわち前記相違点４に係る本願補正発明の構成することは、当業者が容易になし得ることである。
（カ）そして、本願補正発明の作用効果は、引用発明及び周知技術１ないし４からみて格別なものではない。
（キ）したがって、本願補正発明は、引用発明及び周知技術１ないし４に基いて、当業者が容易に発明をすることができたものであるからから、特許法第２９条第２項の規定により、特許出願の際独立して特許を受けることができない。
（４）むすび
　よって、本件補正は、平成１８年法律第５５号改正附則第３条第１項によりなお従前の例によるとされる同法による改正前特許法第１７条の２第５項において準用する同法第１２６条第５項の規定に違反するので、同法第１５９条第１項において読み替えて準用する同法第５３条第１項の規定により却下すべきものである。
第３　本願発明
（１）
　本件補正は上記のとおり却下されたので、本願の請求項１に係る発明（以下、「本願発明」という。）は，平成２５年８月２３日付手続補正書により補正された上記第２の１で前述した特許請求の範囲の請求項１に記載された事項により特定される次のとおりのものである。
「【請求項１】
　特別図柄を表示する表示装置と、
　開閉部材を開放させて遊技球を入賞可能にする可変入賞球装置と、
　該可変入賞球装置の前記開閉部材が開放する回数に応じた遊技情報を報知する報知手段と、
　前記可変入賞球装置の前記開閉部材を開放させるか否かの抽選を実行するとともに、前記抽選の結果に基づいて前記表示装置、前記報知手段及び前記可変入賞球装置を制御する
主制御手段と、
　少なくとも演出制御対象を制御する副制御手段と、を具備し、
　前記主制御手段が、前記演出制御対象を制御するためのコマンドを前記副制御手段に送信可能な遊技機において、
　前記主制御手段は、前記表示装置によって前記特別図柄を表示する際には、前記演出制御対象によって演出報知を行うためのコマンドを前記副制御手段に送信し、その後、前記抽選の結果によって前記可変入賞球装置の前記開閉部材を開放させる場合であれば、前記開閉部材を開放するように前記可変入賞球装置を制御し、かつ前記遊技情報の報知を行うように前記報知手段を制御し、
　前記報知手段は、前記主制御手段の制御によって、前記遊技情報として前記開閉部材が開放可能となるラウンド回数の最大数を示す報知を行い、
　前記副制御手段は、前記主制御手段からの前記コマンドに従って前記演出制御対象を制御するとともに、前記ラウンド回数の最大数に達するまで前記遊技情報に対応する遊技情報画像として現在の前記ラウンド回数を示す画像を、前記報知手段よりも大きい画像表示装置によって表示しうることを特徴とする遊技機。」
（２）刊行物１に記載された発明及び周知技術３
　原査定の拒絶の理由に引用された刊行物１の記載事項及び引用発明、並びに周知技術３は、それぞれ上記第２の３（１）、及び（３）（ウ）に記載したとおりである。
（３）対比・判断
　本願発明は、上記第２の１及び２で検討したとおり、本願補正発明から構成の一部（限定された構成）を省いたものである。
　そして、本願発明と引用発明とを対比すると、上記の相違点３で相違し、残余の点で一致する。
　しかし、相違点３については、第２の３（３）（ウ）で検討したとおりである。
　したがって、本願発明は、引用発明及び周知技術３に基いて、当業者が容易に発明をすることができたものであるから、特許法第２９条第２項の記載により特許を受けることができない。
（４）むすび
　以上のとおり、本願発明は、特許法第２９条２項の規定により特許を受けることができないものである。
　よって、結論のとおり審決する。